(57)【要約】  【課題】分割された断熱扉の突合せ部における断熱性能を向上する自動販売機を提供するものである。  【解決手段】商品収納庫の前面に外扉、および上下二分割構造になる断熱内扉１０１，１０２の上部断熱内扉１０１の下端面または下部断熱内扉１０２の上端面の少なくともどちらか一方にガスケット１０３，１０４を装着して、扉間の隙間を閉塞し、上部断熱内扉１０１の下端面と下部断熱内扉１０２の上端面は前後方向で重なるように端面を形成し、断熱内扉の端面まで断熱材１０１ａ，１０２ａが充填されていることにより、自販機庫外と自販機庫内を遮断する断熱壁に空洞部がなくなり突合せ部における断熱性能とシール性を向上することができる。【選択図】図１
2007164325.tif 000002
【特許請求の範囲】
【請求項１】
商品収納庫の前面に外扉、および上下二分割構造になる断熱内扉を備え、前記断熱内扉の上部断熱内扉の下端面または下部断熱内扉の上端面の少なくともどちらか一方にガスケットを装着して、扉間の隙間を閉塞する自動販売機において、前記上部断熱内扉の下端面と前記下部断熱内扉の上端面は前後方向で重なるように端面を形成し、前記断熱内扉の端面まで断熱材が充填されていることを特徴とする自動販売機。
【請求項２】
上部断熱内扉の下端面と下部断熱内扉の上端面に形成された傾斜面に硬質材の基部と軟質材のパッキン部の一体成形で形成したガスケットを有し、前記ガスケット同士または前記ガスケットと前記傾斜面とが重なって密着しあうようにしたことを特徴とする請求項１に記載の自動販売機。
【請求項３】
上部断熱内扉側のガスケットの前端または下部断熱内扉側のガスケットの後端に、断熱内扉を閉じた状態で前記断熱内扉に沿って上方向または下方向に移動してクッション性を持たせた基部を備えたことを特徴とする請求項２に記載の自動販売機。
【請求項４】
上部断熱内扉側のガスケットの基部の後端のみまたは下部断熱内扉側のガスケットの基部の前端のみを固定したことを特徴とする請求項３に記載の自動販売機。
【発明の詳細な説明】
【技術分野】
【０００１】
本発明は商品収納庫に冷却、ないし加熱手段を装備した本体ケースの庫内前面に、商品収納ラックの商品投入口部分を覆う上部分割扉とその下部領域を覆う下部分割扉からなる上下二分割構造の断熱扉を配した自動販売機の断熱、シール構造に関するものである。
【背景技術】
【０００２】
従来、この種の自動販売機の庫内前面に配した上下分割構造になる断熱扉で、庫内外の熱伝導を回避するものとして断熱材を上下に配置させ、上下断熱材の隙間をシールする特許文献１のものがある。
【０００３】
図２は特許文献１に記載された従来の自動販売機を示すものである。図３（ａ）は従来の自動販売機の断熱扉の密閉前を示す図である。図３（ｂ）は従来の自動販売機の断熱扉の密閉後を示す図である。
【０００４】
図２に示すように１は断熱筺体としてなる本体ケース、２は外扉、３は本体ケース１の庫内に収設したサーペンタイン式の商品収納ラック、４は商品搬出シュータであり、本体ケース１の庫内前面には上下二分割構造の断熱扉５を備えている。なお、図示されていないが、本体ケース１の庫内底部には商品保冷用の冷却器、および加熱用ヒータ、および庫内ファンを備えている。
【０００５】
以上のように構成された自動販売機の上下分割構造になる断熱扉について、以下その動作を説明する。
【０００６】
図３（ａ）（ｂ）に示すように、まず、断熱扉５は、商品収納ラック３の上部前面に開口している商品投入口３ａを覆う上部分割扉５ａと、下部領域を覆う下部分割扉５ｂからなり、上部分割扉５ａは外扉２と一緒に開閉するよう外扉２の裏面に取り付けられている。なお、５ｃは上部分割扉５ａを外扉２に係止する掛け金である。かかる構成で、商品収納ラック３に収納した商品を庫内に備えた冷却器で保冷する、ないしは加熱ヒータで加熱してコールド商品、ないしはホット商品として販売することは周知の通りである。また、商品収納ラック３に商品を補給する場合には、外扉２と一緒に断熱扉５の上部分割扉５ａを開き、下部分割扉５ｂは閉じたまま（庫内への外気熱の侵入をできるだけ抑えるために下部分割扉を閉じておく）で商品投入口３ａに商品を投入する。
【０００７】
また、断熱扉５を閉じた状態で本体ケース１との間をシールして庫内への外気侵入を防ぐために、上部分割扉５ａの裏面側周縁には帯状のガスケット６が敷設されており、さらに上部分割扉５ａと下部分割扉５ｂとの隙間を塞ぐように、ガスケット６とは別に上部分割扉５ａの下端面、および下部分割扉５ｂの上端面にガスケット７、８を装着している。
【０００８】
この分割扉相互間をシールするガスケット７，８は扉裏面側のガスケット６と同様に軟質な樹脂、ゴムなどで作られた中空の帯条体であり、そのシール端面を斜めカットしてそのシール端面同士を前後に突き合わせるようにした断面三角形の中空状のガスケットを装着するとともに、いずれか一方のガスケットのシール端面に相手側のガスケットに向けて突き出す前後複数条のヒレ部を設け、分割扉を閉じた状態で前記ヒレ部を相手側ガスケットのシール端面に密着させて分割扉相互間の隙間をシールしている。
【特許文献１】特開平１０−３３４３２８号公報
【発明の開示】
【発明が解決しようとする課題】
【０００９】
しかしながら、上記従来の構成では断熱扉５のガスケット７，８は斜めカットされた中空の帯条体同士を突き合わせて上部分割扉５ａと下部分割扉５ｂとの間の隙間を断熱しているので、突合せ部において中空部が発生し、このために庫内外の断熱性能が悪化するほか、特に庫内を保冷している場合にはガスケット部分の表面に結露が発生し易いという課題を有していた。
【００１０】
本発明は、上記従来の発明を解決するもので、上部分割扉５ａと下部分割扉５ｂとの突合せ部における断熱性能を向上することを目的とするものである。
【課題を解決するための手段】
【００１１】
上記従来の課題を解決するために、本発明の自動販売機は、商品収納庫の前面に外扉、および上下二分割構造になる断熱内扉を備え、前記断熱内扉の上部断熱内扉の下端面または下部断熱内扉の上端面の少なくともどちらか一方にガスケットを装着して、扉間の隙間を閉塞する自動販売機において、前記上部断熱内扉の下端面と前記下部断熱内扉の上端面は前後方向で重なるように端面を形成し、前記断熱内扉の端面まで断熱材が充填されていることにより、自販機庫外と自販機庫内を遮断する断熱壁に空洞部がなくなり突合せ部における断熱性能を向上することが達成される。この結果、熱伝導が削減されるので、庫内の保冷及び保温状態の向上、庫外側シール部の結露防止ができる。
【発明の効果】
【００１２】
本発明の自動販売機は、突合せ部における断熱性能を向上でき、熱伝導が削減されるので、庫内の保冷及び保温状態の向上、庫外側シール部の結露防止ができる。
【発明を実施するための最良の形態】
【００１３】
請求項１に記載の発明は、商品収納庫の前面に外扉、および上下二分割構造になる断熱内扉を備え、前記断熱内扉の上部断熱内扉の下端面または下部断熱内扉の上端面の少なくともどちらか一方にガスケットを装着して、扉間の隙間を閉塞する自動販売機において、前記上部断熱内扉の下端面と前記下部断熱内扉の上端面は前後方向で重なるように端面を形成し、前記断熱内扉の端面まで断熱材が充填されていることにより、自販機庫外と自販機庫内を遮断する断熱壁に空洞部がなくなり、熱伝導が削減されるので、庫内の保冷及び保温状態の向上、庫外側シール部の結露防止ができる。
【００１４】
請求項２に記載の発明は、上部断熱内扉の下端面と下部断熱内扉の上端面に形成された傾斜面に硬質材の基部と軟質材のパッキン部の一体成形で形成したガスケットを有し、前記ガスケット同士または前記ガスケットと前記傾斜面とが重なって密着しあうようにしたことにより、パッキン部が適度に傾斜面と圧縮されることになり、上部断熱内扉と下部断熱内扉との間に組立誤差による相対的なずれがあっても、このずれを補償して上下断熱材同士を密着させることができる。
【００１５】
請求項３に記載の発明は、上部断熱内扉側のガスケットの前端または下部断熱内扉側のガスケットの後端に、断熱内扉を閉じた状態で前記断熱内扉に沿って上方向または下方向に移動してクッション性を持たせた基部（硬質樹脂部）を備えたことにより、上部断熱内扉の閉時に前期基部が弾性変形することとなり、ガスケットパッキン部が経年劣化してもシール性悪化を防止できる。
【００１６】
請求項４に記載の発明は、上部断熱内扉側のガスケットの基部の後端のみまたは下部断熱内扉側のガスケットの基部の前端のみを固定したことにより、上部断熱内扉閉時、ガスケットの基部が上下方向に移動することが可能となり、簡単な構造でガスケットにクッション性を持たせることができる。
【００１７】
（実施の形態１）
図１（ａ）は、本発明の実施の形態１における自動販売機の断熱扉の密閉前を示す図である。図１（ｂ）は同実施の形態における自動販売機の断熱扉の密閉後を示す図である。
【００１８】
図１（ａ），（ｂ）において、分割された断熱材１０１ａを装填した上部断熱内扉１０１の下端面、断熱材１０２ａを装填した下部断熱内扉１０２の上端面は図示のようにシール端面を斜めカットして前後に突き合わせるようにした断面形状となっている。下部断熱内扉１０２の上端斜面にはガスケット硬質材１０３が装着されており、ガスケット硬質材１０３の斜面部にガスケット軟質材のパッキン部１０４が一体成形されている。上部断熱内扉の下端斜面には軟質フォームまたは保護テープ１０５を貼り付けている。ガスケト硬質材１０３は固定ネジ１０６で固定されており、断熱扉密閉時、ガスケット硬質材１０３は下部断熱内扉１０２の斜面に沿って下方向に移動し密閉される。
【００１９】
以上のように構成された自動販売機の断熱扉について、以下その動作を説明する。
【００２０】
まず、上部断熱内扉１０１を図１（ａ）で示す開放位置から閉じると、図１（ｂ）で表す分割扉の閉状態では、上部側の斜面が下部側のガスケット硬質材１０３に付き合わされるとともに、ガスケット軟質材のパッキン部１０４が上部断熱内扉１０１の斜面に重なり合い、同時にガスケット硬質材１０３が上部断熱内扉１０１側の腰折れ部で弾性変形し、上下の断熱扉相互間の隙間をシールする。
【００２１】
以上のように、本実施の形態においては、分割された上部断熱内扉１０１の下端と下部断熱内扉１０２の上端を斜めカットし各斜面を突き合わせることにより、突合せ部に空洞部が消滅し、断熱性の向上を図ることができる。
【００２２】
また、本実施の形態ではガスケット硬質材１０３の斜面部にガスケット軟質材のパッキン部１０４が一体成形されていることにより、断熱扉密閉時、ガスケット軟質材のパッキン部１０４が適度にガスケット硬質材１０３の斜面と圧縮されることになり、上部断熱内扉と下部断熱内扉との間に組立誤差による相対的なずれがあっても、このずれを補償して上下断熱材同士を密着させることができる。
【００２３】
また、本実施の形態では断熱扉密閉時、ガスケット硬質材１０３の斜面部が上部断熱内扉１０１の斜面に対し下方向に移動してクッション性を持たせることにより、ガスケット軟質材のパッキン部１０４が経年劣化してもシール性を保持することができる。
【００２４】
また、本実施の形態ではガスケット硬質材１０３の腰折れ側端部と上部断熱内扉１０１の前面側のみを固定ネジ１０６で締結することにより簡単な構造でガスケットにクッション性を持たせることができる。
【産業上の利用可能性】
【００２５】
以上のように本発明にかかる自動販売機は、突合せ部における断熱性能を向上でき、熱伝導が削減されるので、庫内の保冷及び保温状態の向上、庫外側シール部の結露防止ができるので、自動販売機の断熱扉だけに限らず、冷蔵庫などの冷却機器の断熱扉に適用できる。
【図面の簡単な説明】
【００２６】
【図１】（ａ）本発明の実施の形態１における自動販売機の断熱扉の密閉前を示す図（ｂ）同実施の形態における自動販売機の断熱扉の密閉後を示す図
【図２】従来の自動販売機の扉開放状態の外観図
【図３】（ａ）従来の自動販売機の断熱扉の密閉前を示す図（ｂ）従来の自動販売機の断熱扉の密閉後を示す図
【符号の説明】
【００２７】
１０１  上部断熱内扉
１０２  下部断熱内扉
１０１ａ，１０２ａ  断熱材
１０３  ガスケット硬質材（硬質材の基部）
１０４  ガスケット軟質材のパッキン部（軟質材のパッキン部）
【図１】
2007164325.tif 000003
【図２】
2007164325.tif 000004
【図３】
2007164325.tif 000005